(57)【要約】【課題】  浴槽等に形成された貫通孔からの漏水を確実に防ぐことのできる漏水防止構造を提供する。【解決手段】  貫通孔３ａを有する壁面３の表裏から雄雌のネジ部材６，７を締め付けて、貫通孔３ａに取付部材５ｂを壁面３とネジ部材７とにより挟み込む構造において、前記取付部材５には、前記貫通孔３ａより大きく、ネジ部材７の外径より小さい孔５ｃが形成され、取付部材５の孔５ｃ内周と貫通孔３ａの内周により形成される段部に、シール剤Ｓを充填できるように構成されている。【選択図】  図２
2005237590.tif 000002
【特許請求の範囲】
【請求項１】
貫通孔を有する壁面の表裏から雄雌のネジ部材を締め付けて貫通孔に取付部材を壁面とネジ部材とにより挟み込む構造において、前記取付部材には、前記貫通孔より大きく、ネジ部材の外径より小さい孔が形成され、取付部材の孔内周と貫通孔の内周により形成される段部に、シール剤を充填できるように構成したことを特徴とする貫通孔からの漏水防止構造。
【請求項２】
前記貫通孔は、洗い場付浴槽等の浴室外に露出する浴槽に形成されたものであり、前記ネジ部材は、追焚き用のアダプターであり、前記取付部材は漏水受けであることを特徴とする請求項１に記載の貫通孔からの漏水防止構造。
【発明の詳細な説明】
【技術分野】
【０００１】
本発明は、浴槽等に形成した貫通孔からの漏水を防止する構造に関するものである。
【背景技術】
【０００２】
従来、図７に示すように、浴槽３と洗い場４が一体化された洗い場付浴槽２が設けられ、浴室１の外に露出する浴槽３の壁面に、追焚き用貫通孔３ａを形成させたような場合に、図８に示すように、貫通孔３ａには追焚き用アダプター５１が取り付けられるが、貫通孔３ａからの漏水を受けるための漏水受け５２を、貫通孔３ａの下方の浴槽３の壁面に貼着して、この漏水受け５２で漏水を受けるように構成していた。
また、特許文献１に開示されている構造では、図９に示すように、漏水受け５２を貫通孔３ａに、アダプター５１とナット部材５３で挟み込んで取り付けている。
【特許文献１】特開平１１−３２４０５０号公報
【発明の開示】
【発明が解決しようとする課題】
【０００３】
従来の図８に示すように、漏水受け５２を接着固定する構造では、漏水受け５２が浴槽３から剥がれてしまうことがあった。
また、特許文献１に開示されている図９のような構造であっても、浴槽３壁面の裏面が平滑でない場合等には、浴槽３の裏面と漏水受け５２間の隙間から水が漏れる場合があった。
【課題を解決するための手段】
【０００４】
本発明は上記従来の問題点に鑑み案出したものであって、貫通孔からの漏水を完全に防止できる漏水防止構造を提供せんとするものであり、請求項１は、貫通孔を有する壁面の表裏から雄雌のネジ部材を締め付けて貫通孔に取付部材を壁面とネジ部材とにより挟み込む構造において、前記取付部材には、前記貫通孔より大きく、ネジ部材の外径より小さい孔が形成され、取付部材の孔内周と貫通孔の内周により形成される段部に、シール剤を充填できるように構成したことである。
【０００５】
また請求項２は、前記貫通孔は、洗い場付浴槽等の浴室外に露出する浴槽に形成されたものであり、前記ネジ部材は、追焚き用のアダプターであり、前記取付部材は漏水受けであることである。
【発明の効果】
【０００６】
本発明は、取付部材の孔内周と貫通孔の内周により形成される段部にシリコン等のシール剤を充填して、取付部材を雄雌のネジ部材で締め付けて挟み込んで取り付けるものであるため、取付部材が剥がれる虞れがなく、またシール剤が充填されているため、隙間から水が漏れることもなく、貫通孔からの漏水を確実に防ぐことができるものとなる。
【０００７】
また、貫通孔は、洗い場付浴槽等の浴室外に露出する浴槽に形成されたものであり、ネジ部材は、追焚き用のアダプターであり、取付部材は漏水受けであることにより、浴槽に形成された貫通孔に漏水受けをアダプターを締め付けて挟み込んで確実に取り付けることができ、漏水受けが剥がれることがなく、しかもシール剤が充填されるため、浴槽の壁面と漏水受け間の隙間からの水漏れが防がれ、これにより浴槽の貫通孔からの漏水を確実に防ぐことができるものとなる。
【実施例】
【０００８】
以下、本発明の実施例を図面に基づいて説明する。
図１は、前記図７に示したような洗い場付浴槽２の浴槽３の壁面に形成された貫通孔３ａに、漏水受け（取付部材）５を取り付けた縦断面拡大構成図である。また、図２は、要部を拡大した概略構成図である。
なお、図３は、ゴム製の漏水受け（取付部材）５の斜視構成図である。
【０００９】
漏水受け（取付部材）５は、受け皿部５ａが上面が開口した箱状に形成され、受け皿部５ａの一辺側には上方へ立ち上がる固定片部５ｂが一体形成され、この固定片部５ｂの上部部位に孔５ｃが貫通形成されている。この孔５ｃの内径寸法Ａは、浴槽３に形成されている貫通孔３ａの内径寸法Ｃよりも大きく、また雌ネジ部材７の鍔部７ａの外径寸法Ｂよりも小さい寸法に設定されている。
【００１０】
なお、浴槽３に形成された貫通孔３ａは、追焚き用の貫通孔であり、この貫通孔３ａには、追焚き用のアダプターが表側及び裏側から締め付けて取り付けられるものであり、追焚き用アダプターは、浴槽３の表側に配置される雄ネジ部材６と、浴槽３の裏側から締め付けられる雌ネジ部材７で構成されている。
【００１１】
図５には、追焚き用アダプタを構成する雄ネジ部材６と雌ネジ部材７とキャップ１２の分解破断斜視図を示し、また図４には、雄ネジ部材６と雌ネジ部材７の締め付け状態の破断斜視構成図を示す。
雄ネジ部材６は、本体部６ａが雌ネジ部材７の鍔部７ａよりも大径寸法に形成されており、この本体部６ａの中心部には、外側へ向かって突出状に、外周に雄ネジを形成した雄ネジ筒部６ｂが一体化されており、雄ネジ筒部６ｂの内側には、隙間を形成して同軸状に小径の内水路管６ｃが一体化されている。
【００１２】
また、雌ネジ部材７は、雄ネジ部材６側で外側へ突出する鍔部７ａを有し、内側に雌ネジが形成された雌ネジ筒部７ｂの内側に、同軸状に小径の内水路管７ｃが一体形成されており、内水路管７ｃの雄ネジ部材６側の先端内周にはオーリング１１が嵌め込まれている。また、雌ネジ部材７には、図示しない追焚き給湯機に連通される配管１３が設けられている。
なお、雌ネジ部材７の鍔部７ｃの外周には、ゴムパッキン９を予め取り付けておき、また、雄ネジ部材６の雄ネジ筒部６ｂの外周には、本体部６ａ側に当接させてパッキン１０を取り付けておく。
【００１３】
先ず、浴槽３の貫通孔３ａの外側に、図３に示す漏水受け（取付部材）５を接着により仮固定する。この場合、浴槽の貫通孔３ａと、漏水受け（取付部材）５に形成された孔５ｃを整合させて、浴槽３の外側に固定片部５ｂを接着Ｐで仮固定する。
このように、仮固定した状態では、漏水受け（取付部材）５の孔５ｃの内径寸法Ａが貫通孔３ａの内径寸法Ｃよりも大であるため、孔５ｃの内周と貫通孔３ａの内周との間に段部が形成されることとなり、この段部にシリコンＳを充填する。
シリコンＳを充填した後に、貫通孔３ａに、浴槽表側より雄ネジ部材６の雄ネジ筒部６ｂを差し込み、雄ネジ筒部６ｂが浴槽３の外側へ突出するため、この雄ネジ筒部６ｂに対し、浴槽３の裏側より、雌ネジ部材７の雌ネジ筒部７ｂを螺合させて締め付けてゆく。
【００１４】
雄ネジ筒部６ｂに対し雌ネジ筒部７ｂを締め付けてゆくと、漏水受け（取付部材）５の固定片部５ｂは、雄ネジ部材６と雌ネジ部材７間に挟み込まれて強固に浴槽３に固定されることとなり、内側にはパッキン１０が介在され、外側にはゴムパッキン９が介在されて、しかもシリコンＳが充填されているため、浴槽３の裏面が平滑でない場合等にも、水が浴槽３壁面と固定片部５ｂ間の隙間に浸入することが防がれて、貫通孔３ａの外周は完全にシールされた状態となる。なお、漏水受け（取付部材）５は、追焚き用アダプターを構成する雄ネジ部材６と雌ネジ部材７を締め付けて挟み込まれているため、剥がれることはない。
【００１５】
なお、雄ネジ筒部６ｂに雌ネジ筒部７ｂが締め付けられた状態では、雄ネジ部材６の内水路管６ｃの外周に、雌ネジ部材７の内水路管７ｃが嵌め込まれて、内水路管６ｃと内水路管７ｃが連通状態となる。
【００１６】
なお、本例では、浴槽３の貫通孔３ａに、漏水受け（取付部材）５を取り付ける場合の構造を例示しているが、これ以外の場面でも同様な構造を採用して、例えば、図６に示すように、綱板パネル１３ａの裏面に石膏ボード１３ｂが設けられた壁１３に形成した貫通孔３ａの表裏から、雄雌のネジ部材１４，１５を締め付けて、貫通孔３ａに取付部材（パッキン）１８を挟み込んで取り付けることができ、取付部材（パッキン）１８には、貫通孔３ａより大きく、ネジ部材１４，１５の外径より小さい孔を形成しておき、取付部材（パッキン）１８の孔内周と貫通孔３ａの内周間の段部にシリコンＳを充填して、石膏ボード１３ｂの裏面が平滑でない場合等にも、貫通孔３ａからの漏水を確実に防止することができるものとなる。
なお、図６中１４ａは雄ネジ部材１４の雄ネジ筒部であり、１４ｂは雄ネジ部材１４のフランジである。また、１６は雌ネジ部材１５に連結されたクランクであり、１７はクランク１６に連通された水栓である。
【図面の簡単な説明】
【００１７】
【図１】浴槽の貫通孔に漏水受け（取付部材）を取り付けた状態の縦断面拡大構成図である。
【図２】図１の要部を拡大した概略構成図である。
【図３】漏水受け（取付部材）の斜視構成図である。
【図４】追焚き用アダプターを構成する雄ネジ部材と雌ネジ部材を締め付けた状態の一部破断斜視構成図である。
【図５】追焚き用アダプターを構成する雄ネジ部材と雌ネジ部材とキャップの一部破断分解斜視構成図である。
【図６】貫通孔に取付部材を取り付けた別例を示す縦断面構成図である。
【図７】浴室に設置されている洗い場付浴槽の斜視構成図である。
【図８】従来の漏水受けの取付構造を示す要部縦断面構成図である。
【図９】従来の漏水受けの取付構造を示す要部縦断面構成図である。
【符号の説明】
【００１８】
１  浴室
２  洗い場付浴槽
３  浴槽
３ａ  追焚き用貫通孔
４  洗い場
５  漏水受け（取付部材）
５ａ  受け皿部
５ｂ  固定片部
５ｃ  孔
６  雄ネジ部材
６ａ  本体部
６ｂ  雄ネジ筒部
６ｃ  内水路管
７  雌ネジ部材
７ａ  鍔部
７ｂ  雌ネジ筒部
７ｃ  内水路管
９  ゴムパッキン
１０  パッキン
１１  オーリング
１３  壁
１４  雄ネジ部材
１５  雌ネジ部材
１８  パッキン（取付部材）
Ｓ  シリコン
【図１】
2005237590.tif 000003
【図２】
2005237590.tif 000004
【図３】
2005237590.tif 000005
【図４】
2005237590.tif 000006
【図５】
2005237590.tif 000007
【図６】
2005237590.tif 000008
【図７】
2005237590.tif 000009
【図８】
2005237590.tif 000010
【図９】
2005237590.tif 000011